(57)【要約】本発明は、スキッド（７、８）およびクロス部材（１１、１２）を備えたスポットライトのためのスキッド装置（６）に関する。このスキッドはスポットライトの光軸に対してほぼ平行に延びており、クロス部材はスキッド（７、８）を互いに接続するとともにスポットライトハウジング（３）の底部を収容する働きをするものである。本発明は、少なくとも一つのスキッド（７、８）が、スポットライトハウジング（１、３）の中央の長手方向の軸（Ｍ）に対して曲げられた部分（７３〜７５、８３〜８５）を有することを規定している。
2009506486.tif 000002
【特許請求の範囲】
【請求項１】
スポットライトの光軸に対してほぼ平行に延びるスキッドと、スキッドを互いに接続するとともにスポットライトハウジングのベース部を収容（ｈｏｕｓｅ）する働きをするクロス部材とを有するスポットライトのためのスキッド装置であって、
少なくとも一つのスキッド（７、８）は、スポットライトハウジング（１、３）の中央の長手方向の軸（Ｍ）に対して曲げられた部分（７３〜７５；８３〜８５）を有することを特徴とするスキッド装置。
【請求項２】
二つのスキッド（７、８）は、それぞれ他方のスキッド（７、８）に対して曲げられた部分（７３〜７５；８３〜８５）を有していることを特徴とする請求項１に記載のスキッド装置。
【請求項３】
曲げられた部分（７３〜７５；８３〜８５）は、スキッド（７、８）の二つの端部（７１、７２；８１、８２）の間に配置されていることを特徴とする請求項１又は２に記載のスキッド装置。
【請求項４】
曲げられた部分（７３〜７５；８３〜８５）は、
端部（７１、７２；８１、８２）から斜めに離れる第一および第二の小区分（７３、７４；８３、８４）と、
端部（７１、７２；８１、８２）に平行に延びるとともに第一および第二の小区分（７３、７４；８３、８４）の間に配置されている第三の小区分（７５、８５）とを有していることを特徴とする請求項１から３の少なくとも一項に記載のスキッド装置。
【請求項５】
スキッド（７、８）は、その全体の長さにわたってスキッド装置（６）の台を形成していることを特徴とする請求項４に記載のスキッド装置。
【請求項６】
少なくとも一つのスキッド（７、８）は、スキッド（７、８）の端部（７１、７２；８１、８２）だけがスキッド装置（６）の台を形成するような形で、スポットライトの光軸（Ａ）に対して曲げられた部分を有していることを特徴とする請求項１から５の少なくとも一項に記載のスキッド装置。
【請求項７】
前記スキッドの前記端部は、クロスチューブ（９、１０）を介して互いに接続されることを特徴とする請求項１から６の少なくとも一項に記載のスキッド装置。
【請求項８】
クロスチューブ（９、１０）は、クロス部材（１１、１２）に対して平行に延びていることを特徴とする請求項７に記載のスキッド装置。
【請求項９】
クロスチューブ（９、１０）は、前記スキッドの前記端部からスポットライトハウジング（１）の方向に曲げられていることを特徴とする請求項７又は８に記載のスキッド装置。
【請求項１０】
クロス部材（１１、１２）は、スキッド（７、８）の端部（７１、７２；８１、８２）に接続されていることを特徴とする請求項１から９の少なくとも一項に記載のスキッド装置。
【請求項１１】
クロス部材（１１、１２）は、弓形に形成されていることを特徴とする請求項１から１０の少なくとも一項に記載のスキッド装置。
【請求項１２】
クロス部材（１１、１２）は、スポットライトハウジング（１、３）のベース領域（３０）をスキッド装置（６）へ接続する接続要素（１７〜２０）を押し通すための孔（１３〜１６）を有していることを特徴とする請求項１から１１の少なくとも一項に記載のスキッド装置。
【請求項１３】
スキッド（７、８）およびクロスチューブ（９、１０）は、金属チューブからなっていることを特徴とする請求項１から１２の少なくとも一項に記載のスキッド装置。
【請求項１４】
クロスチューブ（９、１０）は、そのベース領域がスキッド装置（６）に接続されるスポットライトハウジング（１、３）の少なくともベース領域（３０）から突き出ていることを特徴とする請求項１から１３の少なくとも一項に記載のスキッド装置。
【請求項１５】
曲げられた部分（７３〜７５；８３〜８５）は、少なくともスポットライトケーブル（４０）の太さの寸法だけ、スキッド（７、８）の端部（７１、７２；８１、８２）と比較して引込んでいることを特徴とする請求項１から１４の少なくとも一項に記載のスキッド装置。
【発明の詳細な説明】
【技術分野】
【０００１】
本発明は、請求項１の前段部分に従ったスポットライト、つまりステージ、スタジオ、映画、テレビ或いはイベントのスポットライトのためのスキッド装置に関する。
【背景技術】
【０００２】
スポットライトは、スタンドに接続されて立ち、およびリグ（ｒｉｇ）として知られるスタジオ用サスペンションに接続されて吊り下げるときの双方の場合において、モータ駆動の遠隔操作により、或いはその遠隔操作なしで、ポール操作を介して使用される。スタンド或いはリグへのスポットライトの接続は、枠（ｂｏｗ）を用いて実行される。この枠は、スポットライトを立たせる或いは吊り下げるアタッチメントのためのスポットライトハウジングの周りに回転可能であり、その枠アームは、互いに直径方向に対向して配列された枠リンケージ（ｂｏｗ  ｌｉｎｋａｇｅ）を介してスポットライトハウジングに接続される。スポットライトハウジングの横軸の周りに回転可能な枠は、スポットライトのスタンド或いはリグへの傾斜が付加的に変更できるように、クランプ装置により水平に対して任意の位置に固定することができる。
【０００３】
スポットライトの運搬のため、しかし特には設置のために、支持面上に設置されたスポットライトが安定した位置を取れるように、スキッド装置が設けられて、スポットライトハウジングのベース領域に接続される。スキッド装置は、スポットライトの中央の長手方向の軸に対してすなわちスポットライトの光軸に対して平行な二つのスキッドからなる。このスキッドは、通常、スポットライトハウジングの両側に沿って延びており、その端はクロスチューブを介して少なくとも二つのクロス部材とともに互いに接続される。このクロス部材は、スキッドを互いに接続するとともに、スポットライトに、好ましくはスポットライトハウジングのベース領域或いはベースパンに接続される。
【０００４】
スポットライトの運搬のために、クロスチューブは、支持面から十分な間隔にあり、したがって容易につかむことができるように、スキッドからスポットハウジングの方向に曲げられている。
【０００５】
ケーブルブッシングは、スポットライトに電力を供給して制御するために、スポットライトのハウジング側の一つに設けられている。そのケーブルブッシングを介して、スポットライトケーブルの一端がスポットライトの内部へ挿入される。一方、スポットライトケーブルのもう一方の端は、カップリングを介して、電源、制御パネル、安定器などに接続される。
【０００６】
スタンドに接続されたスポットライトを使用する場合、スポットライトハウジングに接続された枠は、下方に、つまりスポットライトのベース領域の下に収められて、スタンドのレセプタクル（ｒｅｃｅｐｔａｃｌｅ）に接続される。枠の両アームおよびスキッド装置のスキッドは、スペースを節約するためにほんのわずかだけスポットライトハウジングの側面から突き出ているので、スキッドの互いからの間隔は、枠がスキッドにぶつかる恐れがなくスタンド位置に回転できるように、選択されなければならない。しかしながら、それで枠アームとスキッドとの間に残る間隔は、スキッド装置および枠の適切な寸法付けをする場合ならびにスポットライトハウジングからわずかに側面に突き出ることを可能にする場合には、スキッドと枠アームとの間でケーブルを押しつぶす恐れがなくスポットライトケーブルを設置するために付加的な操作が要求されるため、スポットライトケーブルをその間隔を通して導くには十分でない。
【０００７】
しかし、多くの適用において、特に迅速に操作をする場合には、スポットライトケーブルをつぶさないで通すことは保証されない。その結果、スポットライトケーブルの損傷および短絡の恐れがあり、操作者或いは電源および制御機器にとって誘発的な恐れをともなう。
【０００８】
スポットライトの傾斜がスポットライトの立つ位置において変更されると、スタンドに接続された枠とスポットライトのベース領域に接続されたスキッド装置との間に相対的な動きが発生するため、同様な恐れが存在する。スポットライトケーブルがスポットライトハウジングに近接して通されるため、それによってこのケーブルは枠アームとスキッド装置のスキッドとの間に挟まれる恐れが存在する。この場合、スポットライトケーブルがつぶれる結果、スポットライトケーブルを引っ張ろうとする間に、スポットライトケーブル或いはスポットライトを損傷させる付加的な恐れがある。
【発明の開示】
【０００９】
したがって、本発明の目的は、スポットライトに接続されたスポットライトケーブルを、損傷の恐れがなく、問題がなく信頼のある方法で、スポットライトハウジングに接続された枠の位置に無関係に設置することである。
【００１０】
この目的は、本発明にしたがって、請求項１の特徴によって達成される。
【００１１】
本発明にしたがった解決策によって、スポットライトケーブルを、個別の枠の位置に無関係に、枠の回転中およびスポットライトの傾斜の調整中にスポットライトを損傷させる恐れがなく、問題なく確実に設置することが保証される。
【００１２】
本発明にしたがった解決策は、基本的にスキッド装置の一方或いは双方のスキッドに適用可能である。基本的には、スポットライトのブッシング側に配置されたスキッドの中央領域の曲げで十分であり、これはスポットライトハウジングの片側でスポットライトケーブルを貫通させるためである。
【００１３】
左右対称の理由から、或いはスポットライトのタイプに無関係にスキッド装置を広く使用するとともにケーブルブッシングをそれぞれに配置することを保証するために、優先的には、この曲げ部は双方のスキッドに配置される。
【００１４】
一方或いは双方のスキッドの端部間に曲げ部を配置することによって、スキッド装置と枠との間を貫通するスポットライトケーブルは、スポットライトハウジングの長手方向において十分な遊びを有することが保証される。
【００１５】
一つの好適な実施態様において、曲げ部は第一、第二および第三の小区分を有している。第一および第二の小区分は、端部から斜めに離れており、第三の小区分は、第一および第二の小区分の間に配置されて端部と平行に延びている。
【００１６】
端部と、端部に平行に延びている曲げ部の小区分との間の斜めの小区分を配置することによって、なめらかな変化が端部から曲げ部に作り出される。しかしながら、変形として、端部から曲げ部への変化において、直角の曲げも設けることができる。
【００１７】
スキッドは、その全長にわたり、或いは端部の長さだけにわたり、ベース台としての機能を果たすことができる。端部だけがベース台である場合、曲げ部はスポットライトの光軸方向に曲げられ、したがってベース台から間隔を空けて導かれる。
【００１８】
スキッド装置のスキッドは、ネジ式或いは差し込み式接続を介してスポットライトハウジングに接続されるクロス部材によって互いに接続されるため、スキッド端の付加的な接続は必要とされない。変形として、スキッドフレームを形成するために、クロスチューブを介してスキッド端が接続される。このクロスチューブは、より好適な実施態様において、クロス部材に平行に延びるとともに、スポットライトハウジングの光軸方向に曲げられるのが好ましい。そうすれば、スポットライトがベース台に設置されたときに、クロスチューブがベース台から間隔が空いて、スポットライトを運搬するために容易につかむことができる。取り扱いをさらに単純化するために、クロスチューブはスポットライトハウジングのベース領域から突き出ているとともに、スキッドと同様に、高い安定性および最適な取り扱いの双方を保証する金属チューブで作られる。
【００１９】
本発明ならびに本発明のさらなる特徴および利点は、図に示された典型的な実施態様を参照してより詳細に説明される。
【００２０】
図１は、スポットライトハウジングを備えたスポットライトの斜視図を示しており、このスポットライトハウジングは円筒形のランプハウジング１ならびに正面および後面カバーを備えた立法形或いは多角形のベースパン３からなる。
【００２１】
正面カバーは、アタッチメント部２に接続される。このアタッチメント部は、円筒形ランプハウジング１に連結されるとともに枠の締結具を介して円筒形ランプハウジングに固定され、適切な場合は、金網を備えたレンズディスクがこのアタッチメント部へ挿入される。そして、このアタッチメント部は、拡散板、フィルターディスク、保護ディスクなどのようなアタッチメント要素を保持するためのつめを有している。
【００２２】
スポットライトをスポットライトの配置のためのスタンドに、或いはスポットライトを吊り下げるためのリグに接続させるために、枠５が設けられる。この枠は、二つの枠アーム５１、５２と、このアーム５１、５２を接続する接続アーム５３と、接続アーム５３の中央に配置された接続ピン５４とを有している。二つのアーム５１、５２の端部は、円筒形のランプハウジング１において互いに直径方向に対向して配置された枠リンケージ５０に接続される。枠リンケージ５０は、ハウジングレール５５と、枠アーム５１、５２の端部に接続される枠ベアリング５６とを有している。ハウジングレール５５は、円筒形のランプハウジング１に接続されるか、或いは円筒形ランプハウジング１の型材部品から形成される。枠ベアリング５６は確動ロックによりハウジングレール５５に接続されて、長手方向つまりスポットライトの光軸Ａ方向においてハウジングレール５５上で調節されるとともに、クランプレバー５７による確動ロックおよび／或いは非確動ロックにより、選択された位置においてハウジングレール５５に接続される。
【００２３】
スポットライトの傾斜を調節するために、枠リンケージ５０はクランプレバー５７を操作することによって外すことができ、スポットライトハウジング１、３は所望の傾斜位置へ持っていくことができる。その後、クランプレバー５７は、所望の傾斜設定に固定するために、枠リンケージ５０を再度固定するように操作される。
【００２４】
スポットライトのベースパン３には、ケーブルブッシング４が設けられる。スポットライトはそのケーブルブッシング４を介してスポットライトケーブル４０へ接続される。ケーブルブッシング４は、スポットライトケーブル４０がスポットライトハウジング１、３の面に平行にケーブルブッシング３から導き出されるように形成される。このブッシングは、このブッシングがスポットライトハウジング１、３に対して回転することができるように好適に配置され、その結果、その配置は、スポットライトのスタンド或いはリグへの立位接続或いは吊り下げ接続に応じて変更することができる。
【００２５】
図１に示される位置において、ケーブルブッシング３は立位設定の状態にある。この設定において、ケーブルブッシング３の開口部はスポットライトハウジング１のベース領域３０に対して斜めに向いており、その結果、スポットライトを枠５によって位置決めする場合、スポットライトケーブル４はケーブルブッシング３からスタンドの方へ導き出される。スポットライトをリグに固定する場合、ケーブルブッシング３は、リグ設定においてケーブルブッシング３がスポットライトハウジング１、３のほぼ後面方向において斜め上に向くように１８０°回転させることができる。
【００２６】
ベースパン３は、ベースパン３の両側に対して平行に延びる二つのスキッド７、８から組み立てられたスキッド装置６に接続される。二つのクロスチューブ９、１０は、スキッド７、８の両端を互いに接続する。二つのクロス部材１１、１２もスキッド７、８を互いに接続し、図１では、スキッド７、８のうち前のクロス部材１１の一部分だけが見られる。クロス部材１１、１２は、スキッド装置６をベースパン３或いはスポットライトハウジング１へ接続するための受けすなわち締結要素を有している。一方、クロスチューブ９、１０は、スポットライトを支持面に設置した場合に、クロスチューブ９、１０が支持面から離間して容易につかむことができるように、スキッド７、８に対して斜め上方に揃えられてそれらの両端に接続される。
【００２７】
枠５の双方の枠アーム５１、５２は、スキッド装置６のスキッド７、８と同様に、スペースおよび安定性の理由から、スポットライトハウジング１の両側からわずかに離間しているだけである。そして、スキッド７、８の互いからの間隔は、枠５が問題なく図１に図示されている立位設定へと回転できるように、枠５の枠アーム５１、５２の間隔よりも小さくなっている。しかしながら、この位置においては、枠５の枠アーム５１、５２とスキッド７、８との間の隙間は、わずかなギャップとして形成されるだけであり、このギャップを介しては、スポットライトケーブル４を導くことができないか或いは導くことができても困難が伴う。これは、スポットライトを操作するのに要求される大電流により、スポットライトケーブルは、所定の最小限のケーブル断面を必要とするからである。
【００２８】
したがって、枠５を立位設定へと回転させる間、スポットライトケーブル４の位置決めは困難で厄介な操作であり、スポットライトケーブル４をスキッド８と枠５との間でつぶす恐れがある。
【００２９】
本発明によれば、スキッド装置６は、スキッド７、８の中央部の領域において、それぞれ他方のスキッド７、８に対して曲げられた部分を有しており、スキッド７、８の内のスキッド８の曲げられた部分８３、８４、８５は、図１に示された斜視図において見ることができる。スキッド装置６の形状のさらなる詳細は、図２によるスキッド装置６の個別の図から把握することができ、より詳細に以下に説明される。
【００３０】
図２は、本発明によるスキッド装置６の概略斜視図を示している。このスキッド装置は、周方向に延びるスキッドフレームとして、互いに平行に延びるスキッド７、８と、スキッド７、８の両端を互いに接続するクロスチューブ９、１０とから組み立てられる。スキッド７、８は、端部７１、７２および８１、８２を有している。それらの間には、曲げられた部分７３、７４、７５および８３、８４、８５が形成されている。これらの曲げられた部分は、第一および第二の小区分７３、７４および８３、８４ならびに第三の部分７５、８５から組み立てられるとともに、互いに対してスキッド７、８のくびれた部分を形成する。この第三の部分は、第一および第二の小区分の間にあり、端部７１、７２および８１、８２に平行に延びている。
【００３１】
弓形のクロス部材１１、１２は、スキッド７、８の端部７１、７２および８１、８２に接続され、孔１３、１４、１５、１６を有している。これらの孔を介して、締結手段が図１に従ったベーススパン３に挿入されて接続される。
【００３２】
弓形の結果として、上方へ位置ずれしているクロス部材１１、１２およびクロスチューブ９、１０は、ベース台から離間している。一方、図２で図示されている実施態様において、スキッド７、８はその全長にわたって台領域に載っている。
【００３３】
図２に図示されたスキッド装置の実施態様の変形として、斜め部分７３、７４および８３、８４は、端部７１、７２および８１、８２から直角に曲がった接続部として形成することも可能である。
【００３４】
スキッド７、８およびクロスチューブ９、１０も、スチールチューブとして形成される一方、クロス部材１１、１２はバンド型のスチール要素でできており、スキッド７、８の端部７１、７２および８１、８２に溶接されるのが好ましい。
【００３５】
図３に図示されたスキッド装置６を備えたスポットライトの斜視底面図は、スポットライトハウジングのベースパン３のベース領域３０が、クロス部材１１、１２の孔１３〜１６（図２）を通して挿入される締結部材１７、１８、１９、２０を介して、スキッド装置６のクロス部材１１、１２へ接続されることを示している。図３による斜視図において明確に見られるように、スキッド８の曲げ部８３、８４、８５の結果、スポットライトケーブル４０の動きに対して十分な遊びが得られる。このスポットライトケーブルは、ケーブルブッシング３から、立位設定へと回転する枠５とスポットライトケーブル４０の設置のためのスキッド装置６との間に導かれ、傾斜の変化すなわちベースパン３と比べて枠５の位置が変化する場合においても、スポットライトケーブル４への危険となり得る締め付けが発生しない。スポットライトケーブル４は、スポットライトハウジングのベースパン３の正面および後面へ要求通りに動かすことができ、電源を供給し制御を行う対応する装置に接続することができる。
【図面の簡単な説明】
【００３６】
【図１】スポットライトハウジングに接続された枠およびスキッド装置を備えたスポットライトの斜視図を示している。
【図２】曲げられたスキッド部を備えたスキッド装置の斜視図を示している。
【図３】スキッド装置および立位位置に回転された枠を備えたスポットライトのベースの斜視図を示している。
【符号の説明】
【００３７】
１  円筒形のランプハウジング
２  アタッチメント部
３  ベースパン
４  ケーブルブッシング
５  枠
６  スキッド装置
７，８   スキッド
９，１０  クロスチューブ
１１，１２  クロス部材
１３−１６  孔
１７−２０  締結要素
３０  ベース領域
４０  スポットライトケーブル
５０  枠リンケージ
５１，５２  枠アーム
５３  接続アーム
５４  接続ピン
５５  ハウジングレール
５６  枠ベアリング
５７  クランプレバー
７１，７２  端部
７３，７４，７５  曲げ部
８１，８２  端部
８３，８４，８５  曲げ部
【図１】
2009506486.tif 000003
【図２】
2009506486.tif 000004
【図３】
2009506486.tif 000005
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
スポットライトの光軸に対してほぼ平行に延びるスキッドと、スキッドを互いに接続するとともにスポットライトハウジングのベース部を収容（ｈｏｕｓｅ）する働きをするクロス部材とを有するスポットライトのためのスキッド装置であって、
少なくとも一つのスキッド（７、８）は、スポットライトハウジング（１、３）の中央の長手方向の軸（Ｍ）に対して曲げられた部分（７３〜７５；８３〜８５）を有することを特徴とするスキッド装置。
【請求項２】
二つのスキッド（７、８）は、それぞれ他方のスキッド（７、８）に対して曲げられた部分（７３〜７５；８３〜８５）を有していることを特徴とする請求項１に記載のスキッド装置。
【請求項３】
前記スキッドの前記端部は、クロスチューブ（９、１０）を介して互いに接続されることを特徴とする請求項１もしくは２のいずれかに記載のスキッド装置。
【請求項４】
クロスチューブ（９、１０）は、クロス部材（１１、１２）に対して平行に延びていることを特徴とする請求項３に記載のスキッド装置。
【請求項５】
クロスチューブ（９、１０）は、前記スキッドの前記端部からスポットライトハウジング（１）の方向に曲げられていることを特徴とする請求項３又は４に記載のスキッド装置。
【請求項６】
クロス部材（１１、１２）は、スキッド（７、８）の端部（７１、７２；８１、８２）に接続されていることを特徴とする請求項１から５の少なくとも一項に記載のスキッド装置。
【請求項７】
クロス部材（１１、１２）は、弓形に形成されていることを特徴とする請求項１から６の少なくとも一項に記載のスキッド装置。
【請求項８】
クロス部材（１１、１２）は、スポットライトハウジング（１、３）のベース領域（３０）をスキッド装置（６）へ接続する接続要素（１７〜２０）を押し通すための孔（１３〜１６）を有していることを特徴とする請求項１から７の少なくとも一項に記載のスキッド装置。
【請求項９】
スキッド（７、８）およびクロスチューブ（９、１０）は、金属チューブからなっていることを特徴とする請求項１から８の少なくとも一項に記載のスキッド装置。
【請求項１０】
クロスチューブ（９、１０）は、そのベース領域がスキッド装置（６）に接続されるスポットライトハウジング（１、３）の少なくともベース領域（３０）から突き出ていることを特徴とする請求項１から９の少なくとも一項に記載のスキッド装置。
【請求項１１】
曲げられた部分（７３〜７５；８３〜８５）は、少なくともスポットライトケーブル（４０）の太さの寸法だけ、スキッド（７、８）の端部（７１、７２；８１、８２）と比較して引込んでいることを特徴とする請求項１から１０の少なくとも一項に記載のスキッド装置。
【手続補正２】
【補正対象書類名】明細書
【補正対象項目名】００３５
【補正方法】変更
【補正の内容】
【００３５】
図３に図示されたスキッド装置６を備えたスポットライトの斜視底面図は、スポットライトハウジングのベースパン３のベース領域３０が、クロス部材１１、１２の孔１３〜１６（図２）を通して挿入される締結部材１７、１８、１９、２０を介して、スキッド装置６のクロス部材１１、１２へ接続されることを示している。図３による斜視図において明確に見られるように、スキッド８の曲げ部８３、８４、８５の結果、スポットライトケーブル４０の動きに対して十分な遊びが得られる。このスポットライトケーブルは、ケーブルブッシング３から、立位設定へと回転する枠５とスポットライトケーブル４０の設置のためのスキッド装置６との間に導かれ、傾斜の変化すなわちベースパン３と比べて枠５の位置が変化する場合においても、スポットライトケーブル４への危険となり得る締め付けが発生しない。スポットライトケーブル４は、スポットライトハウジングのベースパン３の正面および後面へ要求通りに動かすことができ、電源を供給し制御を行う対応する装置に接続することができる。
ここで、実施形態に記載された発明のうちで特許請求の範囲には記載されていない発明を以下に列挙する。
（１）曲げられた部分（７３〜７５；８３〜８５）は、スキッド（７、８）の二つの端部（７１、７２；８１、８２）の間に配置されていることを特徴とする請求項１又は２に記載のスキッド装置。
（２）曲げられた部分（７３〜７５；８３〜８５）は、
端部（７１、７２；８１、８２）から斜めに離れる第一および第二の小区分（７３、７４；８３、８４）と、
端部（７１、７２；８１、８２）に平行に延びるとともに第一および第二の小区分（７３、７４；８３、８４）の間に配置されている第三の小区分（７５、８５）とを有していることを特徴とする請求項１、２および（１）の少なくとも一項に記載のスキッド装置。
（３）スキッド（７、８）は、その全体の長さにわたってスキッド装置（６）の台を形成していることを特徴とする（２）に記載のスキッド装置。
（４）少なくとも一つのスキッド（７、８）は、スキッド（７、８）の端部（７１、７２；８１、８２）だけがスキッド装置（６）の台を形成するような形で、スポットライトの光軸（Ａ）に対して曲げられた部分を有していることを特徴とする請求項１、２および（１）から（３）の少なくとも一項に記載のスキッド装置。
【国際調査報告】
2009506486.tif 000006
2009506486.tif 000007
2009506486.tif 000008
2009506486.tif 000009
2009506486.tif 000010
2009506486.tif 000011